(57)【要約】【課題】  タッチディスプレイ装置を提供する。【解決手段】  タッチディスプレイ装置は表示領域および非表示領域を有し、かつタッチ電極層を含み、前記タッチ電極層に複数個の検出電極が設けられ、各前記検出電極は前記表示領域から前記非表示領域まで延伸し、かつ各前記検出電極が接続構造によって駆動チップに接続され、前記接続構造が前記タッチディスプレイ装置の前記非表示領域に位置する。【選択図】  図１
2018022485.tif 000002
【特許請求の範囲】
【請求項１】
タッチディスプレイ装置であって、
表示領域および非表示領域を有し、かつ、タッチ電極層を含み、
前記タッチ電極層に複数個の検出電極が設けられ、各前記検出電極が前記表示領域から前記非表示領域まで延伸し、かつ、各前記検出電極が接続構造によって駆動チップに接続され、
前記接続構造が前記非表示領域に位置する、タッチディスプレイ装置。
【請求項２】
前記タッチディスプレイ装置の前記表示領域における前記タッチ電極層にビア（Ｖｉａ）またはリード線が存在しない、請求項１に記載のタッチディスプレイ装置。
【請求項３】
前記接続構造は前記非表示領域に設置された複数個の導電粒子を含む、請求項１に記載のタッチディスプレイ装置。
【請求項４】
前記タッチ電極層はカラーフィルターガラス基板に設置され、かつ、前記接続構造は薄膜トランジスタガラス基板上の配線層によって前記駆動チップに接続される、請求項３に記載のタッチディスプレイ装置。
【請求項５】
前記接続構造は前記非表示領域に設置されたビア（Ｖｉａ）を含む、請求項１に記載のタッチディスプレイ装置。
【請求項６】
前記タッチ電極層は薄膜トランジスタガラス基板上の画素アレイ隔離層の第一側に設置され、
前記駆動チップに接続された配線層は前記画素アレイ隔離層の第二側に設置され、かつ前記接続構造のビアが前記画素アレイ隔離層を貫通して前記タッチ電極層および前記配線層を接続する、請求項５に記載のタッチディスプレイ装置。
【請求項７】
前記複数個の検出電極中の第一検出電極および第二検出電極が前記非表示領域内に互いに接続する、請求項１に記載のタッチディスプレイ装置。
【請求項８】
前記複数個の検出電極中の第一検出電極および第二検出電極が前記駆動チップ内に互いに接続する、請求項１に記載のタッチディスプレイ装置。
【請求項９】
タッチディスプレイ装置であって、
表示領域および非表示領域を有し、
前記タッチディスプレイ装置はタッチ電極層、駆動チップおよび複数個のマルチプレクサーを含み、
前記タッチ電極層に複数個の検出電極が設けられ、
前記複数個のマルチプレクサーは前記非表示領域に設置され、少なくとも一つの前記マルチプレクサーが複数個の第一接続部材によって複数個の検出電極に接続され、かつ第二接続部材によって前記駆動チップに接続される、タッチディスプレイ装置。
【請求項１０】
前記タッチディスプレイ装置の前記表示領域中のタッチ電極層にビア（Ｖｉａ）またはリード線が存在しない、請求項９に記載のタッチディスプレイ装置。
【請求項１１】
各前記検出電極は前記表示領域から前記非表示領域まで延伸し、かつ、前記複数個の第一接続部材が前記タッチディスプレイ装置の非表示領域に位置する、請求項９に記載のタッチディスプレイ装置。
【請求項１２】
前記タッチ電極層はカラーフィルターガラス基板に設置され、
少なくとも一つの前記マルチプレクサーと前記第二接続部材が薄膜トランジスタガラス基板上に設置され、かつ前記複数個の第一接続部材が複数個の導電粒子であり、前記複数個のマルチプレクサーを前記非表示領域中の複数個の導電粒子によって前記複数個の検出電極に接続させ、かつ前記第二接続部材によって前記駆動チップに接続させる、請求項１１に記載のタッチディスプレイ装置。
【請求項１３】
前記タッチ電極層は薄膜トランジスタガラス基板上の画素アレイ隔離層の第一側に設置され、
前記マルチプレクサーは前記画素アレイ隔離層の第二側に設置され、
前記複数個の第一接続部材は前記画素アレイ隔離層を貫通する複数個のビアを含み、かつ、前記第二接続部材は前記画素アレイ隔離層の前記第二側の配線層に設置される、請求項１１に記載のタッチディスプレイ装置。
【発明の詳細な説明】
【技術分野】
【０００１】
本発明はタッチディスプレイ装置に関し、特に低コストかつ高開口率のタッチディスプレイ装置に関する。
【背景技術】
【０００２】
タッチ検出技術の発展に伴い、便利で実用的なタッチ装置は携帯電話、グローバルポジショニングシステム、タブレットパソコン、パーソナルデジタルアシスタント、ノート型パソコンといった様々な製品に広く応用されている。
【０００３】
時間が進むと共に、パネルメーカーは外形がより薄型軽量で、かつタッチ精度がより高いタッチパネルを開発し続けている。近年はインセル式（Ｉｎ−Ｃｅｌｌ）構造のタッチパネルが流行である。パネルの表示構造中に検出素子を設置することにより、インセル式構造を実現する層数を一つ減らすことができる。これにより、ユーザの指と表示パネル上ユーザが実際に接触した点との間の可視距離が減縮されるため、ユーザはより直観的に表示内容をクリックし、かつタッチパネルはクリック操作および手の形をより簡単に判断できる。また、インセル式構造で層数が減少するため、タッチパネルがより薄型軽量になる。
【０００４】
一般的に言うと、従来技術の表示構造において、通常はビア（Ｖｉａ）またはリード線を利用して形成されたジャンパー線接続構造によって、パネル中の検出素子間または検出素子と外部駆動チップ間の接続を実現する。例を挙げると、台湾特許２０１６２４２４９、Ｉ５３７６３５、２０１６１６３０４はいずれもビアを含むジャンパー線接続構造を用いてパネル中の検出素子間または検出素子と外部駆動チップ間の接続を実現するものである。しかし、ジャンパー線接続を用いると、多くの配線空間が増加されることになり、構造的に画素透過の空間が減少するため、パネルの開口率が低減し、またパネル製造時に必要なマスク層数が増加して、パネルの製造コストが増加する。従って、如何にしてパネルの開口率を向上させ、およびパネルの製造コストを低減させるかは業界が当面検討すべき課題であった。
【発明の概要】
【発明が解決しようとする課題】
【０００５】
本発明はタッチディスプレイ装置、特に低コストかつ高開口率のタッチディスプレイ装置を提供する。
【課題を解決するための手段】
【０００６】
上記課題を解決するために、本発明はタッチディスプレイ装置を提供する。
【０００７】
一つの側面において、本発明はタッチディスプレイ装置を開示する。前記タッチディスプレイ装置は表示領域および非表示領域を有し、かつタッチ電極層を含み、前記タッチ電極層に複数個の検出電極が設けられ、各前記検出電極が前記表示領域から前記非表示領域まで延伸し、かつ各前記検出電極が接続構造によって駆動チップに接続され、前記接続構造が前記非表示領域に位置する。
【０００８】
別の側面において、本発明はタッチディスプレイ装置を開示する。前記タッチディスプレイ装置は表示領域および非表示領域を有し、かつタッチ電極層、駆動チップおよび複数個のマルチプレクサーを含み、前記タッチ電極層に複数個の検出電極が設けられ、前記複数個のマルチプレクサーが前記非表示領域に設置され、なお、少なくとも一つの前記マルチプレクサーが複数個の第一接続部材によって複数個の検出電極に接続され、かつ一つの第二接続部材によって前記駆動チップに接続される。
【図面の簡単な説明】
【０００９】
【図１】本発明の実施例のタッチディスプレイ装置の概略図である。
【図２】本発明の実施例のタッチディスプレイ装置の概略図である。
【図３】本発明の実施例のタッチディスプレイ装置中の一部検出電極の概略図である。
【図４】図１が示すタッチディスプレイ装置の一実施例の断面図である。
【図５】図１が示すタッチディスプレイ装置の別の実施例の断面図である。
【図６】図１が示すタッチディスプレイ装置のさらに別の実施例の断面図である。
【図７】本発明の実施例のタッチディスプレイ装置お概略図である。
【図８】図７が示すタッチディスプレイ装置の一実施例の断面図である。
【図９】図７が示す所示タッチディスプレイ装置の別の実施例の断面図である。
【図１０】図７が示すタッチディスプレイ装置のさらに別の実施例の断面図である。
【図１１】本発明の実施例のタッチディスプレイ装置の概略図である。
【図１２】本発明の実施例においてタッチディスプレイ装置が動作する際の関連信号の概略図である。
【発明を実施するための形態】
【００１０】
図１を参照すると、図１は本発明の実施例のタッチディスプレイ装置１０の概略図である。タッチディスプレイ装置１０は例えばスマートフォーン、タブレットパソコンなどタッチパネルを有する電気製品であるが、これらに限定されない。図１が示すように、タッチディスプレイ装置１０はパネル１００および駆動チップ１０２を含む。パネル１００は表示領域および非表示領域を含み、なお、表示領域に表示素子（例えば画素アレイであり、図１には図示せず）とタッチ電極層に設けられた複数個の検出電極Ｅ１〜Ｅ１２とが設置されている。検出電極Ｅ１〜Ｅ１２は、電気容量の変化量を検出し、タッチディスプレイ装置１０に外部物体が接触しているか否かおよび接触位置を判断するための情報を生成する。一実施例において、タッチ電極層はタッチディスプレイ装置１０において共同電圧を提供するための導電層である。なお、検出電極Ｅ１〜Ｅ１２は駆動信号を提供する駆動電極または検出信号を受ける検出電極であってもよい。例を挙げると、パネル１００が相互容量（ｍｕｔｕａｌ  ｃａｐａｃｉｔａｎｃｅ）式タッチパネルである場合、検出電極Ｅ１〜Ｅ３、Ｅ５〜Ｅ７、Ｅ９〜Ｅ１１が駆動電極であり、検出電極Ｅ４、Ｅ８、Ｅ１２が検出電極であってもよい。また、図２が示すように、パネル１００が自己容量（ｓｅｌｆ  ｃａｐａｃｉｔａｎｃｅ）式タッチパネルである場合、タッチ電極層はタッチポイント毎にタッチ電極Ｅ１３〜Ｅ３０を設置してもよい。その他、図１、図２では例として検出電極Ｅ１〜Ｅ３０が示されているが、タッチディスプレイ装置１０に含まれる検出電極は図１が示す検出電極Ｅ１〜Ｅ１２または図２が示す検出電極Ｅ１３〜Ｅ３０に限定されない。
【００１１】
図１が示す実施例において、検出電極Ｅ１〜Ｅ１２はそれぞれパネル１００上の表示領域から非表示領域まで延伸し、かつ非表示領域中の接続構造１０４によって駆動チップ１０２に接続されている。ここで、駆動チップ１０２はチップオングラス（Ｃｈｉｐ  ｏｎ  Ｇｌａｓｓ、ＣＯＧ）プロセス、チップオンフィルム（Ｃｈｉｐ  ｏｎ  Ｆｉｌｍ、ＣＯＦ）プロセス、テープキャリアパッケージ（Ｔａｐｅ  Ｃａｒｒｉｅｒ  Ｐａｃｋａｇｅ、ＴＣＰ）プロセス、クワッドフラットパッケージ（Ｑｕａｄ  Ｆｌａｔ  Ｐａｃｋａｇｅ、ｑｆｐ）、チップオンボード（Ｃｈｉｐ  ｏｎ  Ｂｏａｒｄ、ＣＯＢ）などのプロセスを利用して構成された駆動チップであってもよいが、これに限定されない。検出電極Ｅ１〜Ｅ１２は直接非表示領域まで延伸するため、パネル１００上の表示領域中にはビア（Ｖｉａ）を利用して形成されるジャンパー線接続構造が含まれない。従って、パネル１００の表示領域の開口率が向上し、かつパネル１００を製造するために必要なマスク数が低減されるため、パネル１００の製造コストが低減される。
【００１２】
異なる応用および設計理念によって、検出電極の形状を様々な方式で実現してもよい。図３を参照すると、図３は本発明の実施例のタッチディスプレイ装置中の一部検出電極の概略図である。例を挙げると、図３が示す検出電極Ｅ３１〜Ｅ３４は図１の検出電極Ｅ１〜Ｅ４であってもよいが、これに限定されない。図３において、各四角がタッチディスプレイ装置中の一つの表示素子（例えば、画素アレイの共用電極）を示す。図３が示すように、検出電極Ｅ３１〜Ｅ３４は互いに交叉して配列され、かつそれぞれ非表示領域まで延伸して、非表示領域の接続構造によってタッチディスプレイ装置の駆動チップに接続される。
【００１３】
図４を参照すると、図４は本発明の一実施例の図３に示された断面線
（外１）
2018022485.tif 000003
に沿った断面図である。図４が示すタッチディスプレイ装置１０において、カラーフィルターガラス基板（ＣＦ  ｇｌａｓｓ）と薄膜トランジスタガラス基板（ＴＦＴ  ｇｌａｓｓ）はエッジシール樹脂によって接続され、タッチ電極層はカラーフィルターガラス基板において薄膜トランジスタガラス基板に対向する側に設置され、画面を表示するための画素アレイは薄膜トランジスタガラス基板においてカラーフィルターガラス基板に対向する側の画素アレイ隔離層に設置されている。図２が示すように、検出電極Ｅ１〜Ｅ１２を設置するためのタッチ電極層は表示領域から非表示領域まで延伸し、かつ接続構造１０４およびタッチディスプレイ装置１０の配線層によって駆動チップ１０２と互いに接続し、なお、接続構造１０４は非表示領域に位置する導電粒子を含む。例を挙げると、導電粒子はパネルプロセス中の異方導電材で実現され、配線層は透明または金属導電電極であってもよい。表示領域中のタッチ電極層に余分な接続構造（例えばビアまたはリード線）が設置されていないため、検出電極Ｅ１〜Ｅ１２と駆動チップ１０２間の画素透過のための空間が余分な接続構造に占用されることなく、かつパネル１００の製造に必要なマスク数が減らされて、パネル１００の製造コストを低減することができる。
【００１４】
図５を参照すると、図５は本発明の別の実施例の断面図である。図５が示すタッチディスプレイ装置１０と図４が示すタッチディスプレイ装置１０は類似するため、機能が類似する素子に同じ名称を用いる。図４に比べて、図５が示す実施例において、タッチ電極層を画素アレイ隔離層の上方に設置するように変更した。この実施例において、接続構造１０４は非表示領域に位置しかつ画素アレイ隔離層を貫通するビアを含み、タッチ電極層中の検出電極は、非表示領域に位置しかつ画素アレイ隔離層を貫通するビアによって配線層に接続された後、さらに駆動チップ１０２に接続される。
【００１５】
図６を参照すると、図６は本発明のさらに別の実施例の断面図である。図６が示すタッチディスプレイ装置１０と図５が示すタッチディスプレイ装置１０は類似するため、機能が類似する素子に同じ名称を用いる。図６が示す実施例において、検出電極Ｅ１〜Ｅ１２を含むタッチ電極層を画素アレイ隔離層と薄膜トランジスタガラス基板との間に設置するように変更した。この実施例において、接続構造１０４は上記と同じく非表示領域に位置しかつ画素アレイ隔離層を貫通するビアを含み、タッチ電極層中の検出電極は、非表示領域に位置しかつ画素アレイ隔離層を貫通するビアおよび配線層によって、駆動チップ１０２に接続される。
【００１６】
異なる応用および設計理念によって、検出電極Ｅ１〜Ｅ１２と駆動チップ１０４の間の接続を異なる方式で実現してもよい。一実施例において、検出電極Ｅ１〜Ｅ１２中の一部検出電極が互いに接続してもよい。例を挙げると、検出電極Ｅ１、Ｅ５、Ｅ９は非表示領域まで延伸した後互いに接続し、検出電極Ｅ２、Ｅ６、Ｅ１０は非表示領域まで延伸した後互いに接続し、かつ検出電極Ｅ３、Ｅ７、Ｅ１１は非表示領域まで延伸した後互いに接続することで、タッチ電極層上のタッチ電極が非表示領域中において並列に接続されてもよい。一部の検出電極を互いに接続させることで、駆動チップ１０２に接続される接続線の数が減らし、これによって駆動チップ１０２に必要なピン（ｐｉｎ）の数を減らすことができる。これにより、駆動チップ１０２のサイズを縮小させ、かつ駆動チップ１０２を薄膜トランジスタガラス基板に設置する（例えば、ボンディング（Ｂｏｎｄｉｎｇ））歩留まり率を向上させることができる。
【００１７】
別の実施例において、検出電極Ｅ１〜Ｅ１２中の一部検出電極がタッチチップ１０２の内部に互いに接続してもよい。この実施例において、検出電極Ｅ１〜Ｅ１２間の接続がパネル１００上の面積を占用することなく、パネル１００のフルスクリーンまたは細いエッジなど設計規格を実現するうえ有利である。
【００１８】
さらに別の実施例において、検出電極Ｅ１〜Ｅ１２はそれぞれタッチチップ１０２に接続される。この実施例において、駆動チップ１０２は検出電極Ｅ１〜Ｅ１２に対しゾーンを分けて走査を行うことが可能であり、かつ、駆動チップ１０２は検出電極Ｅ１〜Ｅ１２中の駆動電極によって構成される駆動線および検出電極Ｅ１〜Ｅ１２中の検出電極によって構成される走査線に対し、連続かつ重複して時分割走査を行うことができる。
【００１９】
図７を参照すると、図７は本発明の実施例のタッチディスプレイ装置７０の概略図である。タッチディスプレイ装置７０は図１が示すタッチディスプレイ装置１０に類似するため、機能が類似する素子に同じ符号を用いる。図１が示すタッチディスプレイ装置１０に比べて、駆動チップ７０２に接続される接続線の数を減らすよう、タッチディスプレイ装置７０には複数個のマルチプレクサーＭＵＸが新たに設置されている。図７が示すように、検出電極Ｅ１〜Ｅ３は表示領域から直接非表示領域まで延伸した後、一つのマルチプレクサーＭＵＸによって駆動チップ７０２に接続され、検出電極Ｅ４〜Ｅ７は表示領域から直接非表示領域まで延伸した後、別のマルチプレクサーＭＵＸによって駆動チップ７０２に接続され、検出電極Ｅ８〜Ｅ１１は表示領域から直接非表示領域まで延伸した後、更に別のマルチプレクサーＭＵＸによって駆動チップ５０２に接続される。この実施例において、駆動チップ７０２はマルチプレクサーＭＵＸによってゾーン分け走査または時分割走査を行って、タッチ機能を実現できる。マルチプレクサーＭＵＸを新たに設置することで、駆動チップ７０２に接続される接続線の数を減らし、さらに駆動チップ５０２に必要なピンの数を減らすことができる。これにより、駆動チップ７０２のサイズを縮小させ、かつ駆動チップ５０２を薄膜トランジスタガラス基板に設置する歩留まり率を向上させることもできる。また、マルチプレクサーＭＵＸはパネル７００上に実現される駆動回路（例えば、ゲート電極駆動回路）と整合できるため、マルチプレクサーＭＵＸの追加によってマスク数が増えることない。言い換えれば、マルチプレクサーＭＵＸを新たに設置することで、製造コストを増加させない条件において、タッチディスプレイ装置７０の歩留まり率を向上させることができる。
【００２０】
なお、マルチプレクサーＭＵＸの位置はパネル７００の底側に設置されることに限定されず、非表示領域中の任意の位置に設置することができる。例を挙げると、マルチプレクサーＭＵＸをパネル７００の天井側、左側または右側の非表示領域に設置してもよい。また、異なる応用および設計理念によって、タッチディスプレイ装置中のマルチプレクサーの数および各マルチプレクサーが接続される検出電極の数を変更することができる。
【００２１】
その他、図７が示す検出電極Ｅ１〜Ｅ３、Ｅ５〜Ｅ７、Ｅ９〜Ｅ１１は複数個の第一接続部材によって直接または間接的にマルチプレクサーＭＵＸに接続され、かつマルチプレクサーＭＵＸがさらに一つの第二接続部材によって駆動チップ５０２に接続されてもよい。詳しくは、複数個の検出電極が複数個の第一接続部材を介して直接マルチプレクサーＭＵＸに接続され、または、複数個の検出電極が複数個の第一接続部材によって配線層に接続されてから、間接的に配線層を介してマルチプレクサーＭＵＸに接続されてもよいが、本発明はこれに限定されない。第一接続部材は非表示領域に位置する導電粒子またはビアによって実現され、第二接続部材は配線層中の導電経路によって実現されてもよい。マルチプレクサーＭＵＸを用いることで、第二接続部材の数を第一接続部材の数より少なくすることができる。従って、依然として駆動チップ７０２に必要なピンの数を減らし、さらに駆動チップ７０２のサイズを縮小させ、かつ駆動チップ７０２およびパネル７００の接合歩留まり率を向上させることができる。
【００２２】
なお、マルチプレクサーＭＵＸの数は異なる応用および設計理念によって変更することができる。例を挙げると、パネル７００中のすべての検出電極Ｅ１〜Ｅ１２を単一のマルチプレクサーＭＵＸによって駆動チップ７０２に接続することができる。言い換えれば、パネル７００に最低限一つのマルチプレクサーＭＵＸ、およびマルチプレクサーＭＵＸと駆動チップ７０２との間の単一の配線さえあれば、すべての検出電極Ｅ１〜Ｅ１２と駆動チップ７０２の間の接続を完成できる。
【００２３】
図８を参照すると、図８は図７が示すタッチディスプレイ装置７０の一実施例の断面図である。図８が示すタッチディスプレイ装置７０において、カラーフィルターガラス基板と薄膜トランジスタガラス基板はエッジシール樹脂によって接続され、タッチ電極層はカラーフィルターガラス基板において薄膜トランジスタガラス基板に対向する側に設置され、画面を表示するための画素アレイは薄膜トランジスタガラス基板においてカラーフィルターガラス基板に対向する側の画素アレイ隔離層に設置されている。図６が示すように、検出電極Ｅ１〜Ｅ１２を設置するためのタッチ電極層は表示領域から非表示領域まで延伸した後、導電粒子（即ち、第一接続部材）によってマルチプレクサーＭＵＸに接続され、そして配線層中の導電経路（即ち、第二接続部材）によって駆動チップ５０２と互いに接続する。表示領域中のタッチ電極層に余分な接続構造（例えば、ビア）が設置されていないため、検出電極Ｅ１〜Ｅ１２と駆動チップ５０２の間の画素透過のための空間が余分な接続部案に占用されることなく、かつパネル５００の製造に必要なマスク数を低減させて、パネル５００の製造コストを低減させることができる。
【００２４】
図９を参照すると、図９は図７が示すタッチディスプレイ装置７０の別の実施例の断面図である。図９が示すタッチディスプレイ装置７０と図８が示すタッチディスプレイ装置７０が類似するため、機能が類似する素子に同じ名称を用いる。図８に比べて、図９が示す実施例ではタッチ電極層を画素アレイ隔離層の上方に設置するように変更した。この実施例において、タッチ電極層は、非表示領域に位置しかつ画素アレイ隔離層を貫通するビア（即ち、第一接続部材）によってマルチプレクサーＭＵＸに接続される。続いて、マルチプレクサーＭＵＸは配線層中の導電経路（即ち、第二接続部材）によって駆動チップ７０２に接続される。
【００２５】
図１０を参照すると、図１０は図７が示すタッチディスプレイ装置７０のさらに別の実施例の断面図である。図１０が示すタッチディスプレイ装置７０と図９が示すタッチディスプレイ装置７０は類似するため、機能が類似する素子沿に同じ名称を用いる。図１０が示す実施例において、検出電極Ｅ１〜Ｅ１２を含むタッチ電極層を画素アレイ隔離層と薄膜トランジスタガラス基板との間に設置するように変更した。この実施例において、タッチ電極層は、非表示領域に位置しかつ画素アレイ隔離層を貫通するビア（即ち、第一接続部材）によってマルチプレクサーＭＵＸに接続される。そして、マルチプレクサーＭＵＸは配線層（即ち、第二接続部材）によって駆動チップ５０２に接続される。
【００２６】
図１１を参照すると、図１１は本発明の実施例のタッチディスプレイ装置が自己容量式タッチパネルを含む概略図である。この実施例において、検出電極の形状がジグザグ状であるが、前記検出電極が自己容量式タッチ制御を実現可能な各種の電極形状であれば、本発明はこれについて限定しない。かつ、同一列に位置する検出電極は検出電極間の隙間を通って非表示領域まで延伸した後、同一マルチプレクサーＭＵＸに接続される。マルチプレクサーＭＵＸに接続されることで、駆動チップは時分割走査またはゾーン分け走査の方式で、タッチ機能を実現できる。
【００２７】
異なる応用および設計理念によって、単一のマルチプレクサーＭＵＸが同一列の検出電極に接続されることに限定されない。一実施例において、マルチプレクサーＭＵＸを同一行に位置する検出電極に接続されるように変更してもよい。
【００２８】
電気容量変化量を検出する際に受信されるノイズを低減させるために、タッチディスプレイ装置中の駆動チップが検出電極を駆動する駆動信号を生成する際に、タッチディスプレイ装置の表示素子（例えば、画素アレイ）の駆動信号上に同じ波形が生成される。図１２を参照すると、図１２は本発明の実施例のタッチディスプレイ装置が動作する際の関連信号の概略図である。説明しやすいよう、図１２においてタッチディスプレイ装置中の表示素子（例えば、画素）のデータ信号、走査信号および共同電圧信号が示され、なお、データ信号は画素中の一画素電極上のデータ電圧を調整するものであり、走査信号は画素中の一ゲート電極上のゲート電極電圧を調整するものであり、共同電圧信号はこの画素に対応する一共同電極上の共同電圧を調整するものである。本発明の実施例において、画素中の共同電極とは、電気容量変化量を検出して、外部物体の接触を判断する情報を生成する検出電極である。図１２が示すように、表示モードの場合、共同電圧信号が一定値を維持し、データ信号および走査信号が表示画面および表示走査時間順に従って変動する。タッチモードに入った場合、共同電圧信号上に周期性のパルスが生成されて、電気容量変化量を検出し、かつ、データ信号および走査信号上にも同じ波形が発生する。共同電極、画素電極およびゲート電極がタッチモード中に同じ波形を受けるため、共同電極、画素電極およびゲート電極間の電圧差の変動幅を低減させることができる。この場合、共同電極上の電気容量変化量が画素電極およびゲート電極の影響を受けないため、共同電極上の電気容量変化量が環境から受ける影響を低減できる。従って、駆動チップが電気容量変化量を検出する際に受けるノイズも減少される。
【００２９】
以上を纏めると、タッチディスプレイ装置の検出電極はそれぞれパネル上の表示領域から非表示領域まで延伸した後、非表示領域に設置された接続構造によってタッチディスプレイ装置の駆動チップに接続される。この場合、パネル上の表示領域中にビアを利用して形成されるジャンパー線連接構造を含まないため、パネル表示領域の開口率を向上させることができる。また、パネルの製造に必要なマスク数も低減されるため、パネルの製造コストを低減できる。さらに、接続構造はマルチプレクサーを用いて、駆動チップに接続される経路数を低減させることで、駆動チップおよびパネルの接合歩留まり率を向上させることができる。
【００３０】
以上は本発明の好ましい実施例に過ぎず、本発明の請求の範囲において行った均等な変更および修正も本発明の範囲に含まれる。
【符号の説明】
【００３１】
１０、７０          タッチディスプレイ装置
１００、７００      パネル
１０２、７０２      駆動チップ
１０４、７０４      接続構造
Ｅ１〜Ｅ３４        検出電極
ＭＵＸ              マルチプレクサー
【図１】
2018022485.tif 000004
【図２】
2018022485.tif 000005
【図３】
2018022485.tif 000006
【図４】
2018022485.tif 000007
【図５】
2018022485.tif 000008
【図６】
2018022485.tif 000009
【図７】
2018022485.tif 000010
【図８】
2018022485.tif 000011
【図９】
2018022485.tif 000012
【図１０】
2018022485.tif 000013
【図１１】
2018022485.tif 000014
【図１２】
2018022485.tif 000015
【外国語明細書】
2018022485000001.pdf